(57)【要約】【課題】より簡易な構成でフラッシュ撮影を行うことができる撮像装置及び撮像方法を提供する。【解決手段】撮像装置１は、光学系による像を撮像し画像データを生成する撮像部１０２と、撮像部１０２による撮像方向に向けて配置されて、撮像部１０２により撮像される画像データを表示する液晶表示器１０３と、撮像部１０２による撮像を指示する操作部１０４と、撮像の指示に応じて、液晶表示器１０３の輝度を増大させる制御を行って液晶表示器１０３に閃光を出射させるとともに、当該閃光の出射と同期して撮像部１０２により撮像された画像データを保持し、液晶表示器１０３が出射する閃光の色を変更可能である制御部１０１と、を備える。【選択図】図２
2012141475.tif 000002
【特許請求の範囲】
【請求項１】
光学系による像を撮像し画像データを生成する撮像部と、
前記撮像部による撮像方向に向けて配置されて、前記撮像部により撮像される画像データを表示する液晶表示器と、
前記撮像部による撮像を指示する撮像指示部と、
前記撮像指示部からの撮像の指示に応じて、前記液晶表示器の輝度を増大させる制御を行って前記液晶表示器に閃光を出射させるとともに、前記閃光の出射と同期して前記撮像部により撮像された画像データを保持し、前記液晶表示器が出射する閃光の色を変更可能である制御部と、
を備えることを特徴とする撮像装置。
【請求項２】
請求項１に記載の撮像装置において、
前記制御部は、前記撮像部により生成された画像データから人物の顔を検出し、前記検出した顔に基づいて、前記閃光の色を決定する
ことを特徴とする撮像装置。
【請求項３】
請求項１又は２に記載の撮像装置において、
周囲の色温度を検出するセンサと、
色温度に対応する閃光の色を記憶する記憶部と、
を備え、
前記制御部は、前記センサにより検出された色温度に対応する閃光の色を前記記憶部から読み出し、前記読み出した色で前記液晶表示器に閃光を出射させる
ことを特徴とする撮像装置。
【請求項４】
請求項１から３いずれか１項に記載の撮像装置において、
前記制御部は、前記撮像指示部から動画像の撮像指示が入力されると、前記撮像部により生成された画像データを保持するとともに、前記撮像部の撮像速度に応じて前記液晶表示器に閃光を出射させる
ことを特徴とする撮像装置。
【請求項５】
光学系による像を撮像し画像データを生成する撮像部と、
前記撮像部による撮像方向に向けて配置されて、前記撮像部により撮像される画像データを表示する液晶表示器と、
前記撮像部による撮像を指示する撮像指示部と、
を備える撮像装置が、前記撮像指示部からの撮像の指示に応じて、前記液晶表示器の輝度を増大させる制御を行って前記液晶表示器に設定された色の閃光を出射させるとともに、前記閃光の出射と同期して前記撮像部により撮像された画像データを保持するステップ
を有することを特徴とする撮像方法。
【発明の詳細な説明】
【技術分野】
【０００１】
本発明は、撮像装置及び撮像方法に関する。
【背景技術】
【０００２】
近年、撮像者が容易に撮像者自身を撮像できるように、カメラとＬＣＤ（Liquid Crystal Display）が同じ面に設置されている携帯電話機が普及している（例えば、特許文献１参照）。このような携帯電話機では、カメラが撮像する画像をＬＤＣに表示することにより、撮像者が、カメラに撮像されている自分自身をＬＣＤで確認しながら、撮像者自身を撮像することができるようになっている。
【先行技術文献】
【特許文献】
【０００３】
【特許文献１】特開２００４−１６５９４３号公報
【発明の概要】
【発明が解決しようとする課題】
【０００４】
しかしながら、特許文献１に記載された携帯電子機器では、フラッシュ撮影を行うためには、カメラとＬＣＤが設置された面にフラッシュライトを別途備えなければならない、という問題がある。
【０００５】
本発明は上記の点に鑑みてなされたものであり、その目的は、より簡易な構成でフラッシュ撮影を行うことができる撮像装置及び撮像方法を提供することにある。
【課題を解決するための手段】
【０００６】
本発明は上記の課題を解決するためになされたものであり、本発明の一態様は、光学系による像を撮像し画像データを生成する撮像部と、前記撮像部による撮像方向に向けて配置されて、前記撮像部により撮像される画像データを表示する液晶表示器と、前記撮像部による撮像を指示する撮像指示部と、前記撮像指示部からの撮像の指示に応じて、前記液晶表示器の輝度を増大させる制御を行って前記液晶表示器に閃光を出射させるとともに、前記閃光の出射と同期して前記撮像部により撮像された画像データを保持し、前記液晶表示器が出射する閃光の色を変更可能である制御部と、を備えることを特徴とする撮像装置である。
【発明の効果】
【０００７】
本発明によれば、簡易な構成でフラッシュ撮影を行うことができる。
【図面の簡単な説明】
【０００８】
【図１】第１の実施形態による撮像装置の外観構成を示す概略図である。
【図２】第１の実施形態による撮像装置の機能構成を示すブロック図である。
【図３】第１の実施形態による撮像処理の手順を示すフローチャートである。
【図４】第２の実施形態による撮像処理の手順を示すフローチャートである。
【図５】第３の本実施形態による撮像装置の機能構成を示す概略図である。
【図６】第３の実施形態による撮像処理の手順を示すフローチャートである。
【発明を実施するための形態】
【０００９】
以下、図面を参照しながら本発明の一実施形態について詳しく説明する。
［第１の実施形態］
図１は、本実施形態による撮像装置１の外観構成を示す概略図である。
撮像装置１は、例えば携帯電話機、ＰＤＡ（Personal Digital Assistant）、スマートフォン、ゲーム機器、デジタルカメラ等の電子機器である。本図に示すとおり、本実施形態による撮像装置１は、撮像部１０２と、液晶表示器１０３と、操作部１０４とが同じ面に設置されている。
【００１０】
撮像部１０２は、光学系による像（被写体）を撮像し画像データを生成する。液晶表示器１０３は、ＬＣＤから構成され、撮像部１０２が撮像する画像データを表示する。ここで、液晶表示器１０３は、撮像部１０２による撮像方向に向けて配置される。操作部１０４は、撮像部１０２による撮像を指示するシャッタボタン（撮像指示部）と、液晶表示器１０３上に設置されたタッチパネル等から構成され、ユーザからの入力を受け付ける。
【００１１】
図２は、本実施形態による撮像装置１の機能構成を示すブロック図である。
撮像装置１は、制御部１０１と、撮像部１０２と、液晶表示器１０３と、操作部１０４と、記憶部１０５とを含んで構成される。本図において図１に示した要素と同じものには同じ符号を付した。
【００１２】
制御部１０１は、撮像装置１を統括して制御するＣＰＵ（Central Processing Unit）、及び撮像部１０２による撮像を制御するＤＳＰ（Digital Signal Processor）から構成される。制御部１０１は、操作部１０４が備えるシャッタボタンからの撮像の指示に応じて、液晶表示器１０３の輝度を増大させる制御を行って液晶表示器１０３に閃光（フラッシュ光）を出射させるとともに、閃光の出射と同期して撮像部１０２により撮像された画像データを記憶部１０５に書き込むことにより保持する。
記憶部１０５は、ＲＯＭ（Read Only Memory）、ＲＡＭ（Random Access Memory）及びフラッシュメモリ等から構成され、撮像部１０２が生成した画像データを記憶する。
【００１３】
次に、図３を参照して、撮像装置１による撮像処理について説明する。図３は、本実施形態による撮像処理の手順を示すフローチャートである。
撮像対象を撮像するための撮像モードが操作部１０４を介してユーザにより選択されると、ステップＳ１０１において、制御部１０１は、撮像部１０２による撮像を開始し、撮像部１０２により生成された画像データをスルー画像として液晶表示器１０３に表示する。
次に、ステップＳ１０２において、制御部１０１は、シャッタボタンが押下されたか否かを判定する。シャッタボタンが押下された場合にはステップＳ１０３へ移行し、シャッタボタンが押下されていない場合にはステップＳ１０１へ戻る。
【００１４】
次に、ステップＳ１０３において、制御部１０１は、液晶表示器１０３の輝度を増大させる制御を行って液晶表示器１０３に閃光（フラッシュ光）を出射させる。このとき液晶表示器１０３が発光する光の照度は、通常時より明るく、例えば、通常携帯電話機やデジタルカメラ等に搭載されるフラッシュライトが出射する光の照度と同程度である。また、本実施形態における閃光の色は白色である。
次に、ステップＳ１０４において、制御部１０１は、液晶表示器１０３による閃光（フラッシュ光）の出射と同期して撮像部１０２により撮像された画像データを取得し、取得した画像データを撮像画像データとして記憶部１０５に書き込み、保存する。
【００１５】
このように、本実施形態によれば、撮像装置１は、シャッタボタンが押下されると、液晶表示器１０３に閃光（フラッシュ光）を出射させる。これにより、フラッシュライトを別途設けることなく、フラッシュ撮影することができる。また、シャッタボタンが押下されるまでは、撮像部１０２が撮像する画像を液晶表示器１０３に表示するため、撮像者は液晶表示器１０３に表示される画像を確認しながらアングル等を決めて、撮像者自身を撮像することができる。
【００１６】
次に、本実施形態による動画像撮像処理について説明する。
撮像装置１の制御部１０１は、操作部１０４により動画像の撮像指示が入力されると、撮像部１０２により生成された画像データを連続して保持し、動画像データを生成する。また、制御部１０１は、フラッシュ光を常時点灯する通常モードが設定されている場合には、動画像を撮像している間（動画像データを生成している間）、液晶画面の明るさを周囲の明るさに応じて連続点灯する。一方、フラッシュ光を必要に応じて点灯する省エネモードが設定されている場合には、制御部１０１は、動画像撮像中のシャッタースピード（撮像速度）に同期して液晶表示器１０３に閃光を出射させる。なお、通常モード及び省エネモードは、ユーザが操作部１０４を介して設定可能である。
このように、撮像装置１は、省エネモード時には、シャッタースピードに応じて動画像撮像中のフラッシュ光の点灯／非点灯を制御するため、連続点灯している場合に比べて、エネルギーの消費を抑えることができる。
【００１７】
［第２の実施形態］
次に、この発明の第２の実施形態による撮像装置１について説明する。
本実施形態による制御部１０１は、液晶表示器１０３が出射する閃光（フラッシュ光）の色を変更可能である。具体的には、制御部１０１は、出射する閃光の色を変更するための美肌モードが設定されている場合に、撮像部１０２により生成された画像データから人物の顔を検出し、当該検出した顔に基づいて、液晶表示器１０３が出射する閃光（フラッシュ光）の色を決定する。ここで、制御部１０１は、パターン認識を利用した顔認識処理を行い、画像データ内に含まれる人物の顔に対応する画像領域を検出する。なお、美肌モードは、撮像モード中にユーザが操作部１０４を介して設定可能である。
【００１８】
記憶部１０５は、人の顔の色と、撮像装置１と人物との距離とに対応する閃光の色を示すテーブルを予め記憶している。記憶部１０５に記憶されている閃光の色は、顔の色が暗いほど強度の強い赤であり、顔の色が明るいほど強度の弱い赤である。また、この記憶部１０５に記憶されている閃光の色は、撮像装置１と人物との距離が近いほど強度の弱い赤であり、撮像装置１と人物との距離が遠いほど強度の強い赤である。
他の構成は第１の実施形態による撮像装置１と同様なため説明を省略する。
【００１９】
次に、図４を参照して、撮像装置１による撮像処理について説明する。図４は、本実施形態による撮像処理の手順を示すフローチャートである。
撮像対象を撮像するための撮像モードが操作部１０４を介してユーザにより選択されると、ステップＳ２０１において、制御部１０１は、撮像部１０２による撮像を開始し、撮像部１０２により生成された画像データをスルー画像として液晶表示器１０３に表示する。
次に、ステップＳ２０２において、制御部１０１は、シャッタボタンが押下されたか否かを判定する。シャッタボタンが押下された場合にはステップＳ２０３へ移行し、シャッタボタンが押下されていない場合にはステップＳ２０１へ戻る。
【００２０】
次に、ステップＳ２０３において、制御部１０１は、美肌モードが設定されているか否かを判定する。美肌モードが設定されている場合にはステップＳ２０５へ進み、美肌モードが設定されていない場合にはステップ２０４へ進む。
ステップＳ２０４において、制御部１０１は、液晶表示器１０３の輝度を増大させる制御を行って液晶表示器１０３に白色で閃光（フラッシュ光）を出射させる。
【００２１】
一方、ステップＳ２０５において、制御部１０１は、出射する閃光の色を変更する。具体的には、制御部１０１は、撮像部１０２により生成された画像データを取得し、取得した画像データから人物の顔を検出し、検出した顔に基づいて、閃光の色を決定する。
具体的には、まず、制御部１０１は、顔領域における画素値の平均値を顔の色として算出する。また、制御部１０１は、顔領域の大きさに基づいて、撮像装置１と人物との距離を算出する。そして、制御部１０１は、算出した顔の色と距離とに対応する閃光の色を記憶部１０５から読み出すことにより、閃光の色を決定する。
【００２２】
次に、ステップＳ２０６において、制御部１０１は、液晶表示器１０３の輝度を増大させる制御を行って液晶表示器１０３にステップＳ２０５において変更した色で閃光（フラッシュ光）を出射させる。
ステップＳ２０４又はステップＳ２０６に続いて、ステップＳ２０７において、制御部１０１は、液晶表示器１０３による閃光（フラッシュ光）の出射と同期して撮像部１０２により撮像された画像データを取得し、取得した画像データを撮像画像データとして記憶部１０５に書き込み、保存する。
【００２３】
このように、本実施形態によれば、撮像装置１は、液晶表示器１０３が出射する閃光の色を変更することができる。
従来の撮像装置では、閃光の色を変更することができなかったため、人物の顔が明るく写った撮像画像を取得しようとした場合、例えば、赤味を追加する等の画像補正処理を撮像画像に対して行わなければならなかった。本実施形態では、撮像部１０２により生成された画像データから人物の顔を検出し、検出した顔に基づいた色（例えば、赤）で閃光を出射して撮像するため、撮像画像に対して後から画像補正処理することなく、人物の顔が明るく写った撮像画像を取得することができる。
【００２４】
次に、本実施形態による動画像撮像処理について説明する。
撮像装置１は、動画像を撮像中に美肌モードが設定されている場合には、動画像撮像中に液晶表示器１０３が出射する閃光の色を変更する。例えば、動画像撮像中に、撮像している人物の顔の色や撮像装置１と人物の距離等が変化した場合には、制御部１０１は、その変化に合わせて閃光の色を変化させる。
【００２５】
なお、本実施形態では、制御部１０１が自動で閃光の色を決定しているが、例えば、ユーザがマニュアルで閃光の色を設定変更できるようにしてもよい。これにより、ユーザは、状況や好みに応じて、閃光の色を選択して撮像することができる。
また、本実施形態では、美肌モードを例に説明したが、青色の閃光を出射する「お化けモード」等、他のモードを設けてもよい。
【００２６】
［第３の実施形態］
次に、この発明の第３の実施形態による撮像装置３について説明する。
図５は、本実施形態による撮像装置３の機能構成を示す概略図である。
本実施形態による撮像装置３は、図２に示す撮像装置１の構成に加えて、光センサ３０６を含んで構成される。
光センサ３０６は、撮像装置３の周囲の色温度（光源の種別）を検出するセンサである。また、本実施形態による記憶部３０５は、色温度（光源の種別）に対応する閃光の色を示すテーブル３０５Ａを予め記憶している。例えば、テーブル３０５Ａは、蛍光灯（の色温度）に対応する閃光の色は赤であることを記憶している。また、本実施形態による制御部３０１は、光センサ３０６により検出された周囲の色温度に対応する閃光の色をテーブル３０５Ａから読み出し、読み出した色の閃光を液晶表示器３０３に出射させる。
【００２７】
次に、図６を参照して、撮像装置３による撮像処理について説明する。図６は、本実施形態による撮像処理の手順を示すフローチャートである。
撮像対象を撮像するための撮像モードが操作部３０４を介してユーザにより選択されると、ステップＳ３０１において、制御部３０１は、撮像部３０２による撮像を開始し、撮像部３０２により生成された画像データをスルー画像として液晶表示器３０３に表示する。
次に、ステップＳ３０２において、光センサ３０６が、撮像装置３の周囲の色温度（光源の種別）を検出する・
次に、ステップＳ３０３において、制御部３０１は、シャッタボタンが押下されたか否かを判定する。シャッタボタンが押下された場合にはステップＳ３０４へ移行し、シャッタボタンが押下されていない場合にはステップＳ３０１へ戻る。
【００２８】
次に、ステップＳ３０４において、制御部３０１は、ステップＳ３０２において光センサ３０６により検出された色温度（光源の種別）に対応する閃光の色をテーブル３０５Ａから読み出すことにより、閃光の色を決定する。
【００２９】
次に、ステップＳ３０５において、制御部３０１は、液晶表示器３０３の輝度を増大させる制御を行って液晶表示器３０３にステップＳ３０４において決定した色で閃光（フラッシュ光）を出射させる。
最後に、ステップＳ３０６において、制御部３０１は、液晶表示器３０３による閃光（フラッシュ光）の出射と同期して撮像部３０２により撮像された画像データを取得し、取得した画像データを撮像画像データとして記憶部３０５に書き込み、保存する。
【００３０】
撮像装置３周囲の光源（色温度）によっては、閃光を出射して撮像すると、閃光によって周囲の光源の雰囲気が生かされず、不自然な色になる場合がある。本実施形態によれば、撮像装置３は、光源の種別に応じて閃光の色を変更するため、閃光による不自然な色を緩和し、光源に応じた自然な色の画像を撮像することができる。
【００３１】
なお、本実施形態では、光センサ３０６を用いて光源の種別を検出したが、例えば、撮像部３０２が生成する画像データに基づいて光源の種別を検出してもよい。
【００３２】
以上、図面を参照してこの発明の一実施形態について詳しく説明してきたが、具体的な構成は上述のものに限られることはなく、この発明の要旨を逸脱しない範囲内において様々な設計変更等をすることが可能である。
例えば、撮像部１０２が回転式で、液晶表示器１０３，３０３が設置された面の背面に向けることが可能な場合、その背面にＬＥＤ（Light Emitting Diode）からなるフラッシュライトを設け、液晶表示器１０３，３０３の駆動とは別に、このフラッシュライトの発光制御を行ってもよいし、また、そのＬＥＤを液晶表示器１０３，３０３が設置された面と同じ面や、回転型として設置し、液晶表示器１０３，３０３の駆動と同時に、或いは別にフラッシュライトの発光制御を行ってもよい。
【符号の説明】
【００３３】
１，３…撮像装置  １０１，３０１…制御部  １０２，３０２…撮像部  １０３，３０３…液晶表示器  １０４，３０４…操作部  １０５，３０５…記憶部  ３０６…光センサ
【図１】
2012141475.tif 000003
【図２】
2012141475.tif 000004
【図３】
2012141475.tif 000005
【図４】
2012141475.tif 000006
【図５】
2012141475.tif 000007
【図６】
2012141475.tif 000008